(57)【特許請求の範囲】
【請求項１】
水平の回転軸に配列するアーム．ホルダー複数が、軸中心垂直上を起点に回転又は反回転方向に１５°づつがずれて等間隔に配列し、ホルダー外周の平面中心に垂直に屹立し、Ｐｂ負荷を配し軽比重で機械強度を有すチタン又はアルミ合金等を素材とするアームが、該軸中心の対角で対称となる均衡をし、断続的らせん状にして放射状をなし、且つアーム及び負荷の重量をウエイトが均衡して排除しアーム伸縮時間を短縮した上、ウエイト並に負荷の重量を支持フレームに放出すると共に、フレームに配置する光センサー等の検知器が該軸中心の垂直位置で複数対のアーム一対ずつを検知し、モーターの回転を電磁クラッチ等が接と断を断続して反復し、同調して回転又は遊動するドラムがワイヤーを迅速に巻取り又は巻戻してアーム伸長又は縮小を反復し、複数の回転軸回転を回転主軸に集合して商用に倣う電気周波数の回転数で発電する電気エネルギーの発電方法。
【発明の詳細な説明】
【技術分野】
【０００１】本発明は、重力エネルギーをエネルギー源にした発電技術に関する。
【背景技術】
【０００２】従来の発電技術には両端に錘を配す直線状丸棒４本が、等間隔の均等角で中心軸の円周方向に配置し、該軸を中心にした軸回転に伴って、落下移動する丸棒の慣性エネルギーを、軸の回転モーメントに変換する（特許文献１）がある。又、水平の回転軸外周に軸中心で対称の対をなすシリンダー多数が、交互の千鳥状且つ干渉ない放射状に屹立して伸縮し、不均衡にしたモーメントで回転する（特許文献２）がある。更に水平の回転軸外周に伸縮スライダー多数が軸中心で対をなす放射状に屹立し、スライダー伸縮によって不均衡にしたモーメントで回転して発電する（特許文献３）がある。更にアームをなすエアーシリンダー３対が水平の回転軸外周に均衡して配置した上、対のシリンダーを伸縮して生じしめる不均衡にしたモーメントで軸回転し、電気変換する（特許文献４）がある。更に多数の圧縮装置が必要な（特許文献５）は、電力消費と煩雑なエアー配管に疑問が残る。
【先行技術文献】
【特許文献】
【０００３】
【特許文献１】昭和５９−５８８号公報
【特許文献２】特開２００１−３５６５９５号公報
【特許文献３】特開２００８−２２３７４２号公報
【特許文献４】特願２００９−１２５０２３号公報
【特許文献５】特願２０１５−２１６１１４号公報
【０００４】文献１は丸棒が中心軸を落下移動する慣性エネルギーを、中心軸の回転力に変換せしめるものである。だが丸棒の落下が回転モーメントを増加する一方で、反回転側の支点間距離が長大し回転と反回転が均衡したモーメント増加をする。
文献２は単独の回転体に伸縮シリンダーを多搭載し、伸縮に伴った長さ相当のモーメントを、軸回転モーメントにするものである。だが瞬時に多数が頻発するシリンダー制御の時間と、多量の伸縮媒体を瞬時に補給する手段の問題が残る。
文献３は単独の回転体に伸縮スライダーを多搭載して油圧制御する構成であり、瞬時にして頻繁となる多数シリンダーの伸縮制御には、高圧且つ大量の作動油を瞬時に補給する必須条件が残る。更にアーム３対ずつをホルダー４箇所に配置する文献４に於いても、同様に瞬時にする伸縮時間の担保が困難である。
又、文献５に於いては空気圧縮装置に多量の電力を費すと共に、係わる設備及び配管等が煩雑である。【０００５】当該出願は特許文献１及び文献２及び文献３及び文献４及び文献５を精査し、別配置する支持フレームが（００３６）ウエイトに発生する反回転モーメントを、吸収して消滅するようにして出願するものです。
【発明の概要】
【発明が解決しようとする課題】
【０００６】火力並びに原子力発電は、地球の温暖化防止並びに環境保全及び安全性の観点からは不適切である。【０００７】日常生活に不可欠の石油及び電気エネルギーであるが、石油資源が枯渇寸前の今日は電気創出に影響を醸す。【０００８】又、原発の危険性は、放射性物質で半径２０Ｋｍ範囲を汚染した、平成２３年３月の福島第一原発の事故が如実に示している。【０００９】放射性物質は農、水、畜産業に甚大な被害を及ぼした上、汚染した土壌等に膨大な回復時間の負債を残している。【００１０】のみならず住民には避難生活を余儀なくさせ、産物に対しても放射線量の表示を要求して活性を妨げた実績がある。【００１１】更には経済の活性を貶める偏見をして、復旧の目処もないまま阻害した経緯がある。【００１２】加えて原発には核のゴミと称する、使用済み燃料の処理が未解決である。【００１３】福島第一原発の事故に伴い、世論は原発廃止方向に推移したものの、効果的な方策が無いまま再稼働の模様である。【００１４】又、令和元年１０月には福島第一原発の事故に伴う汚染土が、前々日、前日の豪雨による水害で流失した事件がありました。【００１５】原子力発電は電気創出の根幹をなす一角ではあるが、誰もが潜在的に核爆発や放射性物質に対し恐怖心を持っている。【００１６】水力や風力並に、太陽光発電等の再生可能エネルギーは自然条件に左右され、最大出力による常時稼働が不可能である。【００１７】電気料金は製品原価に直接影響するだけでなく、小売までの販売過程で間接的に関与して価格に付加される、低減すべき原価要素である。
【課題を解決するための手段】
【００１８】基礎と一体のコンクリート台上に、（図３）１回転軸Φ１００が水平に配置した上、（図２）２アーム．ホルダーが回転又は反回転方向に、軸中心角の１５°づつをずらす配置で、該軸と一体的にキー接続する。【００１９】軽比重で機械強度をもつチタン又はアルミ合金等が、アームを形成して（図２）２ホルダー外周に垂直に屹立し、５Φ１００×１．５ｍ下段管等を配置する。【００２０】ホルダー４ケが外周に下段管を屹立し、該軸にキー接続して等間隔に配置した上、（図２）上段管４Φ８０×１．５ｍが下段管内をスムーズに移動してアーム伸縮をする。【００２１】（図２）８外郭体の移動滑車を支点に、３アーム負荷１００Ｋｇ及び上段管の総量とウエイトが均衡した上、（００２２）の一方又は他方電磁クラッチが接合すると同時に、他方又は一方クラッチが遮断してモーターが迅速に１３ワイヤーを１．５ｍ巻上げ又は巻戻し、負荷を伸縮移動する。【００２２】上段管を含む負荷重を相殺し、（数２）回転周期に対応する０．０１秒での伸縮には、（数１）１．４７ｗの出力と１０６．１６ｒｐｓの回転数が必要。【００２３】（数１）
ウエイトが負荷及びアーム重量を相殺する、移動に要す出力は
Ｐ＝１×１．５ｍ／０．０１／１０２＝１．４７Ｗ
Φ４５０に仮定する、ワイヤーの巻上ドラム外周は１．４１３ｍ
移動距離は１．５ｍ故  １．５÷１．４１３÷０．０１＝１０６．１６ｒｐｓ＝６３７０      通常モーター１４１０ｒｐｍに対し、６３７０ｒｐｍを必要とし４．５２倍の増速が必要。【００２４】この対応に、（００４０）モーターに増速装置を配置した上、配置する電磁クラッチ等を接続又は遮断し、アーム伸縮のワイヤーを巻上げ又は巻戻す。【００２５】増速装置が（図５）１５中間軸に１３Φ４０歯車及び１４Φ９０歯車を配置した上、入力軸の１２．Φ９０歯車に１３．Φ４０が、出力軸のΦ４０歯車に１４Φ９０歯車が接合し５．０６倍に増速する。【００２６】回転軸とキー接続して一体的に内接し、外周平面に補助板を配置するホルダーが、軸方向に中心を２分割した上、補助板に施す（００５２）座グリにアームを屹立する。【００２７】対辺距離１ｍの正六角形をなす（図１）２ホルダーが、該軸中心上の外周平面に４及び５アームを垂直に屹立する。【００２８】（００２９）フレームをＩ又はＨ形鋼等が構成し、アーム縦回転の外郭体レールを垂直に支持した上、別材がアーム回転の側方に直立して専用レールをなし、アーム専用の滑車の移動を保持する。【００２９】支持フレームが（図２）１１外郭体レールの両側に配置して、レールを垂直に維持した上、ホルダーと同方向に回転し同径にする６回転板が、アームの該軸右又は左側に配置する。【００３０】その上で、ウエイト及び負荷に発生するモーメントをフレームに放出しつつ、ウエイトを接続するワイヤーが（図４）回転板に配す８中間滑車を移動する。【００３１】回転軸の軸受部とホルダー配置部を同径にした上、該軸に通常ハメ合い公差で内接し円筒方向に２分割するブッシングに、ホルダー及び過大内径のころがり軸受が外接する。【００３２】２分割するブッシング外周に、分割面直角のボルト穴とボルトのタップ穴を施し、表面に露出しないボルト締めをして該軸上に組立つ。【００３３】当該及び隣接ホルダーの中間位置に配す設置台に、回転軸がころがり軸受を配置して水平に配置する。【００３４】アーム専一にするホルダー上の一方又は他方モーターが、接と断を交互にするクラッチ接合をし、（図６）１３ワイヤー巻上げと開放を反復する。【００３５】巻上げ又は巻戻しをする（００３８）ドラムのワイヤーが、（図２）１１外郭体レール及び支持フレームに、（図１）３負荷垂直上のアーム負荷及びウエイト重量を分散しつつ懸下する。【００３６】Ｈ又はＩ型鋼等が構成する、環状にする外郭体レールの内周側面に、移動滑車がレール面の上下を（図３）１１ローラーで挟み付けて配置した上、ワイヤーを巻上げ又は巻戻しをしながら周回移動する。【００３７】支持フレームが外郭体レールの垂直な起立を維持した上、各アーム専用の（図３）９移動滑車が、アーム回転に伴って該レールを移動する。【００３８】ホルダー外周平面の一方モーターが、クラッチ接合してワイヤーをドラムに巻上げる一方、他方モーターがクラッチ遮断してドラムを開放し巻戻す。【００３９】円筒状の（図４）７回転板が該軸中心を中心に支持フレームに配置して、回転軸回転をチェーン等を用いるカップリング継手で伝達した上、中間滑車を移動する８専用ワイヤーがウエイト及び、負荷重量を該フレームに分散して軽減する。【００４０】対をなす反回転側アームは、一方ドラムがクラッチを遮断して解放した上、他方モーターが（００３８）に同調してワイヤーを巻戻し縮小する。【００４１】互いが逆方向に回転するように、一方及び他方モーターがホルダー外周平面の補助板に出力軸を対向して配置し、電磁クラッチ等が（００２４）増速装置で増速した回転を接続又は、遮断してアームを伸縮する。【００４２】一方のクラッチが回転力を接続又は遮断すると共に、他方クラッチも同調して遮断又は接合し、ワイヤーをドラムに巻上げ又は巻戻し伸長又は縮小する。【００４３】一方又は他方モーターの回転でアームを伸縮し、伸縮を専用の光センサー等が検知した上、クラッチ等の接合又は遮断を次作動まで保持する。【００４４】当該装置のアーム回転周期は０．３４４秒（数２）であり、効率良い発電には０．００２秒以内のアーム伸縮を要し制御困難である。【００４５】これを各アーム専一の光センサー等が、上又は下死点に達するアームを補正して検知し、（００４０）〜（００４２）を反復して制御する。【００４６】アームが上又は下死点の垂直位置で伸長又は縮小するように、センサー取付け位置を前倒しにずらす適正な調整で、伸縮開始の時期を補正する。【００４７】（図３）１０移動滑車を経て外郭体に至るワイヤーが、端末を（図２）３負荷の回転外周側アイボルト等に固定した上、ホルダー正面の支持フレームに配置する回転板滑車を介し、ホルダー外周のモータードラムにワイヤーを巻上げ又は巻戻してアーム伸縮をする。【００４８】（００４９）の配置をしチェーン及び、スプロケット等が伝達する該軸回転で（図４）回転板が回転した上、回転板の８滑車とホルダー滑車が向い合せて配列し、ウエイト等を結ぶワイヤーが移動する。【００４９】ウエイトに生ずる反回転モーメントがアーム回転に影響しないように、外郭体の支持フレームに回転板を配置し、各アーム専用の中間滑車６ヶが配置した上、外郭体並にフレームに該モーメントを分散する。【００５０】支持フレームに配置し、内外周に軸受を配す（図４）の（００４９）回転板が、アーム伸縮の専用ワイヤーに付加するウエイト並びに負荷の重量を、支持フレームに放出しつつ移動する。【００５１】ウエイトを接続するワイヤーの延長上に、中間滑車が該軸の軸方向を円形面にして配置する。【００５２】アーム底部の滑車及び（図２）８滑車を経るワイヤーが、底部内部空間から負荷内周側のアイボルト等に他端を固定する。【００５３】又、上死点並に下死点のアームは、（００３９）〜（００４３）の補助で伸長又は縮小時の負荷を滅した上、モーター回転するドラムがワイヤーを巻上げ又は、巻戻し伸縮時間を短縮する。【００５４】アーム下段の外周縦方向に、同じ素材でリブを配し撓み防止の補強をする。【００５５】クラッチ接合する一方モーターのドラム回転で、外郭体を経由して負荷に固定するワイヤーをドラムに巻上げると共に、他方モーターが同調してクラッチ遮断し、ワイヤーを放出してアーム伸長をする。【００５６】回転軸中心の垂直上となる、ホルダー平面上の補助板に下段管が垂直に屹立し、下段管に収納される上段管が管内を移動してアーム伸縮をする。【００５７】各アームが迅速に伸縮するように、内周に潤滑剤等をコーテング、又はコーテングしたメタル等を配す下段管内を、上段管がフランジ接続をして移動する。【００５８】ピン又はビス等が下段管の外周面から、（００５７）メタルを突き抜かぬように固定しズレを防止する。【００５９】フレーム並びに外郭体に配す滑車を経由し、ワイヤードラムに巻付いて負荷を固定するワイヤーを、一方モーターがクラッチ接合して回転するドラムに巻上げる一方、同調する他方が遮断してワイヤーを放出しアーム伸長をする。【００６０】対をなすアームが、アーム回転体の内周側となる面にワイヤーを固定した上、（図２）アーム内部空間から外郭体レールに配す８移動滑車を経て、内周側の３負荷面に固定する。【００６１】負荷を排除して対のアームが迅速に縮小するように、ウエイトを接続するワイヤーが、負荷両面のアーム回転の内周及び外周側に接続した上、移動滑車を支点に均衡して負荷重を排除し、他方ドラムを巻上げると共に一方を巻戻す。【００６２】ホルダー外周の補助板に、Φ１００深さ１０座グリを施してアームが屹立した上、８移動滑車を経て、６ウエイト外周面及び（図２）３負荷外周面に固定するワイヤーが負荷に均衡する。【００６３】その上でウエイト内周面に一端を繋ぎ、（図２）８滑車を伝うワイヤーがアーム内部空間から、３負荷内周のアイボルト等に他端を固定する。【００６４】出力軸を対向して配置する、ホルダー上の一方又は他方モーターが、ワイヤーをドラムに巻上又は巻戻しアーム伸縮をする。【００６５】ホルダーの座グリ中心にΦ５０深さ１５０穴を施し、穴底部に配す滑車で方向変換するワイヤーを、一方又は他方ドラムが傾斜溝を伝い巻上げ又は巻戻す。【００６６】アームが軸円周を伸長して網羅し、軸方向に断続的らせん状をなす放射状に屹立するように、（図１）２ホルダー４か所が内接してキー接続し、６０°の軸中心角を保つキー溝を、円周一方向に１５°ずつずらしブッシングが配置する。【００６７】（００６３）のΦ５０穴底となるホルダー側面に、概Φ２５０穴を開口して滑車を配置し、異物防止カバーを配置した上、滑車を移動するワイヤーがアームを伸縮する。【００６８】以上を行う該軸は一定周期の均等な定量トルクで無限に回転する。【００６９】回転側アームを伸長する一方で反回転側アームを縮小する、一連の操作を自動制御して反復し、該軸に等速の回転運動をなさしめる。【００７０】対のアームが同調して伸縮するように、軸中心の垂直上となるコンクリート台又はフレームに、近接センサー等を配す取付け台を配置した上で、アームに配置する反射板等が、上方又は下方の垂直位置を検知する。【００７１】鏡面状の反射板並に近接センサー等がアーム並に取付け台に配置し、対毎に位置をずらす専一の検出をした上、電磁クラッチ等がワイヤーの巻上げ及び巻戻しを反復して伝達し、アームを伸長又は縮小する。【００７２】モーター軸に電磁クラッチ等及び（図７）増速装置を配置し、一方又は他方、電磁クラッチが接合して増速
する回転速度で、Φ４５０ドラムが回転しワイヤー１．５ｍを巻上げると共に、他方又は一方クラッチが遮断して巻戻す。【００７３】各アーム専一の光センサー等が検知する、（００５３）伸縮時期に電磁クラッチ等が同調して接断をし、アームを順次に伸縮する。【００７４】軸の片端にフライ．ホイール等を配置し円滑な軸回転をする。【００７５】数の回転数に調整した上、発電機を稼働する。【００７６】各回転軸にクラッチ等を配置した上、需要に応じて接続又は遮断して出力調整し、出力を回転主軸に伝達する。【００７７】膨大な発電量の要求には、（００７３）回転主軸複数が電気変換後に集合して応じる。
【発明の効果】
【００７８】地球温暖化の要因でもあるＣｏ２等排出規制ガス及び、原発の危険が伴う放射性物質を抑止した上、安全且つ無害の電気創出をする。【００７９】競争の原理に基づく、（００８７）〜（００９０）の競合する料金設定で、低廉化を望める。【００８０】モーター負荷量を重力で軽減しアーム伸縮速度を高めた上、消費電力を大幅に削減して発電効率を向上する。【００８１】地球温暖化の要因の一つであるＣｏ２等排出規制ガスを抑止した上、放射性物質を皆無にした非環境汚染の電気創出をする。【００８２】危険が伴う核エネルギー利用と比較し、当該発明は自然の理に沿い安全且つ無害である。【００８３】当該発明は燃料等を不要にして、恒久に電気エネルギーを創生する抜本的な対策であり、必要量を無限に発電した上で原子力並に、火力発電の全面撤廃を可能にする。【００８４】更には風雨や風雪に対する防護を必要にするものの、常に最大出力で安定する定量の発電をして将来のエネルギー展望に活路を開く。【００８５】原子力並びに火力発電のように熱源を必要としない当該発明は、高温高圧に対する冷却配管並に水源等の付帯設備を省く。【００８６】暖房システムを、電気エネルギーを比熱の大きな熱媒に熱交換しユース．ポイントで熱放散するように確立し、暖房用燃料を不要にする。【００８７】暖房を含む電化製品を更に開発普及し、家庭及び工業用エネルギーを石油から脱却させる。【００８８】需要の増減に伴う発電量の変化には、クラッチ等を即時調整して需要に応じた対応ができる。【００８９】回転軸４本を繋いで１０７４ｋｗを出力し、所要面積は１５×２０ｍに推定される当該発明は、太陽光発電等に比較し出力規模での対比面積は悠に少ない。【００９０】上下動する海上及び空中では不適にするが、陸上に固定した人間及び貨物の近距離輸送方法を確立し、交通渋滞の緩和及び燃料消費を撲滅できる。【００９１】使用時間に拘束されない電気エネルギーを、安全且つ恒久に創出して安価にした上、原子力並びに火力発電の全面撤廃を可能にする。【００９２】以上を実施し、不安要素を排除した安心と安全を得た上、石油動向に影響されない経済を構築できる。【００９３】当該装置を世界普及し、核利用を最小限に止めて平和維持に貢献する。
【発明を実施するための形態】
【００９４】適正にする該発明の実施例を下記に記す。
【００９５】
【実施例】
【００９６】電力企業を発電並に販売事業者に分割し、管轄地域の職務を分担して担う。【００９７】発電事業者の職務分担は、変電を含む発電及び送電並びに付随する装置の維持管理及び、保全業務等である。【００９８】一方、販売事業者は所轄する発電事業者に報酬をなすと共に、入札等で決定する金額での販売及び徴収をする。【００９９】入札は複数の管轄を跨いで重複する、複数の販売事業者並に新規事業者が提示した、最低額の電力単価で落札者を決定する。【０１００】落札額に基づく料金制にした上で、任期は所定期間の一期のみに限定する。【０１０１】以上を実施して料金高騰の抑制及び、事業の独占化を回避する。【０１０２】最大効率で出力する措置（００１８）〜（００６６）をする回転主軸又は、回転軸の回転数を商用に倣う電気周波数の回転数に変換した上で発電機を駆動する。
アーム伸縮のモーター並に電磁クラッチ等は商用電源を用い、創出電力は商用として送電する。【０１０３】電磁クラッチ及びモーター等を制御する二次配線が、該軸表面に施す軸方向の溝内を潜り抜けて軸受及びホルダーを通過し、該軸片端外周に配す絶縁体で通電部を被覆するロータリー通電器（図６）に接続する。【０１０４】該軸端末に配し、通電を中継するロータリー通電器が、該軸回転中にも支障なく通電する。【０１０５】アームが周回する外周及び側面並に、軸回転を回転主軸に伝達する部位に、危険防止の保護カバーを配置し、フレーム等が支持する。【０１０６】伸長或は縮小したまま停止するアームを、反回転又は回転側で縮小又は伸長し回転を再開する。【０１０７】回転停止は、下死点のアームのみ伸長し他を縮小した上、回転軸を制動する。【０１０８】該装置は設置台数に比例して無限に出力し、アームのストロークと負荷量に比例した出力増加をするが、回転軸及びアーム強度との比較になる。【０１０９】過剰なアーム数量及びストロークの増加は、該軸の回転速度が増加し、アーム伸縮制御が煩雑になる。【０１１０】重量及び軸中心距離の等しい、ホルダー上のモーター及びウエイト等のモーメントは、局部的なホルダー上の相殺で均衡する。【０１１１】回転軸及びフレームは、アーム及び負荷並にホルダーの総重量を勘案し、機械強度を有す構成にする。【０１１２】対をなすホルダー面に搭載のアンバランスなモーターやウエイトが、回転モーメントに影響しないように、中心距離を等しくして配置する。
【図面の簡単な説明】
【０１１３】
【図１】２ホルダー外周平面に５アーム下段管が屹立する回転体の側面図であり、負荷を配す４上段管が伸縮移動してアーム回転半径を変化する。負荷を減滅して回転側を伸長し、同時に反回転側を縮小する。
【図２】回転軸を縦回転して、回転するアームの正面図である。該軸上のホルダーに配置するアーム一対ずつが、アーム負荷にウエイトを均衡して排除し、上下死点で迅速に伸縮する。
【図３】１２外郭体レールに配置する、（図２）９移動滑車の詳細組立て断面図である。レールに９滑車が移動用の１１ローラーで組立ち、アーム専用の滑車が該軸回転に伴い移動する。
【図４】（図２）７回転板の詳細組立て断面図である。１１外郭体レールの支持フレームに回転体が配置し、該軸と非接触の間隙で回転板が配置する。ウエイト及びアーム負荷重量を支持フレームが、回転板ケーシング外側に配置する軸受を介し大地に放出する。
【図５】（００２４）増速装置の構成概要図である。中間軸に配す歯車が入力軸並に、出力軸の歯車と接合して出力軸回転を増速する。
【符号の説明】
【０１１４】１回転軸
２アーム．ホルダー
３アーム負荷
４アーム上段管
５アーム下段管
６ウエイト
７回転板
８中間滑車
９ワイヤー
１０移動滑車
１１滑車移動ローラー
１２外郭体レール
１３入力軸歯車Φ９０
１４中間歯車  Φ４０
１５中間軸歯車Φ９０
１６中間軸
１７出力軸歯車Φ４０
【要約】      （修正有）【課題】燃料等を不要にした常時最大出力で安定し、大幅な発電効率の向上及び非環境汚染の発電で、将来のエネルギー展望に活路を拓くと共に、原子力並に火力発電の全面撤廃並びに経済の活性化を促す電気エネルギーの発電方法を提供する。【解決手段】水平の回転軸１が、恒久且つ無限の重力エネルギーで回転するように、正六角形のホルダー２の４ケが該軸に等間隔の配列をする。当該ホルダー２は回転又は反回転方向に１５°づつずれて配列し、軽量且つ機械強度を有すチタン又はアルミ合金等を素材にし、上段管先端に均等負荷を配するアームが、ホルダー外周平面の中心に垂直に屹立する。アーム負荷３及び上段管重量をウエイト６が上又は下死点位置で均衡して排斥した上、夫々専用モーターがアーム一対づつを伸長又は縮小する。その上で該軸に回転トルクを生じしめ、該回転を発電機に繋ぐ。【選択図】図２【図１】
0006924936.tif 000002
【図２】
0006924936.tif 000003
【図３】
0006924936.tif 000004
【図４】
0006924936.tif 000005
【図５】
0006924936.tif 000006